(57)【要約】      （修正有）【課題】従来にない作用効果を発揮する画期的な救助用バールを提供する。【解決手段】握柄部１の先端部に先端が先鋭の作業部２を有する救助用バールであって、前記握柄部１は中空構造体であり、この握柄部１と前記作業部２とは着脱自在に設けられている。握柄部１か中空構造体であるため、きわめて軽量であり、持ち運びに便利で、重量物を持ち上げ移動させる際の作業性もよい。握柄部１を取り外すことで単独で楔として使用することもでき、この作業部２を複数用意すれば様々な使用方法が可能となる。【選択図】図１
2016067701.tif 000002
【特許請求の範囲】
【請求項１】
握柄部の先端部に先端が先鋭の作業部を有する救助用バールであって、前記握柄部は中空構造体であり、この握柄部と前記作業部とは着脱自在に設けられていることを特徴とする救助用バール。
【請求項２】
請求項１記載の救助用バールにおいて、前記握柄部の先端部には前記作業部の基端部を着脱自在に嵌合連結する凹部が設けられていることを特徴とする救助用バール。
【請求項３】
請求項１，２いずれか１項に記載の救助用バールにおいて、前記握柄部は断面円形状であることを特徴とする救助用バール。
【請求項４】
請求項１〜３いずれか１項に記載の救助用バールにおいて、前記作業部は角柱体であり、先端部は上面から下面にかけて基端側方向へ傾斜する傾斜面が形成された先鋭形状であることを特徴とする救助用バール。
【請求項５】
請求項４記載の救助用バールにおいて、前記作業部の先端部上縁は上側へ反り上がった形状であることを特徴とする救助用バール。
【請求項６】
請求項１〜５いずれか１項に記載の救助用バールにおいて、前記作業部に代えてハンマー部が着脱自在に設けられていることを特徴とする救助用バール。
【請求項７】
請求項１〜５いずれか１項に記載の救助用バールにおいて、前記作業部に代えてツルハシやピッケルなどの斫り部が着脱自在に設けられていることを特徴とする救助用バール。
【発明の詳細な説明】
【技術分野】
【０００１】
本発明は、救助用バールに関するものである。
【背景技術】
【０００２】
従来から、例えば災害時における瓦礫や倒壊建物などの重量物の下敷きになった人を救助する際に使用する救助用バールが提案されている。
【０００３】
この救助用バールは、握柄部の先端部に先端が先鋭の作業部が連設されたものであり、作業部を重量物の下に差し込み、てこの原理を利用して重量物を持ち上げ移動させる際に用いるものである。
【０００４】
ところで、この救助用バールは、その用途から長尺（約１５０ｃｍ）であり、しかも、強度が要求されることから金属製で非常に重く、よって、作業性が悪く、また、瓦礫の上などの足元の悪い所で持ち運ぶのは大変であった。
【０００５】
そこで、本出願人は、意匠登録第１３８５７２７号や意匠登録第１３９６５７９号に開示される救助用バール（以下、従来例）を提案している。
【０００６】
これら従来例は、先端側から基端に掛けて徐々に径小となるように構成されており、強度を確保しつつ軽量化を達成しており、よって、作業者の負担を可及的に低減することができる。
【先行技術文献】
【特許文献】
【０００７】
【特許文献１】意匠登録第１３８５７２７号公報
【特許文献２】意匠登録第１３９６５７９号公報
【発明の概要】
【発明が解決しようとする課題】
【０００８】
本発明者は、前述した救助用バールについて更なる研究開発を進め、その結果、従来にない作用効果を発揮する画期的な救助用バールを開発した。
【課題を解決するための手段】
【０００９】
添付図面を参照して本発明の要旨を説明する。
【００１０】
握柄部１の先端部に先端が先鋭の作業部２を有する救助用バールであって、前記握柄部１は中空構造体であり、この握柄部１と前記作業部２とは着脱自在に設けられていることを特徴とする救助用バールに係るものである。
【００１１】
また、請求項１記載の救助用バールにおいて、前記握柄部１の先端部には前記作業部２の基端部を着脱自在に嵌合連結する凹部３が設けられていることを特徴とする救助用バールに係るものである。
【００１２】
また、請求項１，２いずれか１項に記載の救助用バールにおいて、前記握柄部１は断面円形状であることを特徴とする救助用バールに係るものである。
【００１３】
また、請求項１〜３いずれか１項に記載の救助用バールにおいて、前記作業部２は角柱体であり、先端部は上面から下面にかけて基端側方向へ傾斜する傾斜面２ｂが形成された先鋭形状であることを特徴とする救助用バールに係るものである。
【００１４】
また、請求項４記載の救助用バールにおいて、前記作業部２の先端部上縁は上側へ反り上がった形状であることを特徴とする救助用バールに係るものである。
【００１５】
また、請求項１〜５いずれか１項に記載の救助用バールにおいて、前記作業部２に代えてハンマー部５が着脱自在に設けられていることを特徴とする救助用バールに係るものである。
【００１６】
また、請求項１〜５いずれか１項に記載の救助用バールにおいて、前記作業部２に代えてツルハシやピッケルなどの斫り部６が着脱自在に設けられていることを特徴とする救助用バールに係るものである。
【発明の効果】
【００１７】
本発明は上述のように構成したから、極めて軽量で扱い易く、しかも、作業部を取り外すことで単独で楔としても使用することができるなど、従来にない作用効果を発揮する画期的な救助用バールとなる。
【図面の簡単な説明】
【００１８】
【図１】本実施例を示す斜視図である。
【図２】本実施例の要部を示す側面図である。
【図３】本実施例の要部を示す平面図である。
【図４】本実施例の要部を説明する分解斜視図である。
【図５】本実施例の要部を説明する断面図である。
【図６】本実施例の要部を説明する斜視図である。
【図７】本実施例の使用状態説明図である。
【図８】本実施例の使用状態説明図である。
【発明を実施するための形態】
【００１９】
好適と考える本発明の実施形態を、図面に基づいて本発明の作用を示して簡単に説明する。
【００２０】
例えば災害時における瓦礫や倒壊建物などの重量物を持ち上げ移動させる際、従来例と同様、作業部２を重量物の下側に差し込み、この作業部２を作用点としつつ該作業部２の近傍位置を支点、握柄部１を力点として下方に下げて重量物を持ち上げ移動させる。
【００２１】
ところで、本発明は、握持部１が中空構造体である為、極めて軽量であり、よって、持ち運びに便利で、しかも、重量物を持ち上げ移動させる際の作業性も良い。
【００２２】
また、本発明は、握柄部１と作業部２とは着脱自在であり、例えば図８に図示したように重量物の下方に差し込んだ作業部２を握柄部１から取り外して重量物の動かした状態を保持できるなど、握柄部１を取り外すことで単独で楔として使用することもできる。
【実施例】
【００２３】
本発明の具体的な実施例について図面に基づいて説明する。
【００２４】
本実施例は、握柄部１の先端部に先端が先鋭の作業部２を有する救助用バールである。
【００２５】
以下、本実施例に係る構成各部について詳細な説明をする。
【００２６】
握柄部１は、図１〜３に図示したように適宜な金属製の部材（アルミニウム）で形成された断面円形管から成る中空構造体であり、先端部には後述する作業部２の凸部４を着脱自在に嵌合連結する凹部３が設けられている。
【００２７】
この凹部３は、図４，５に図示したように握柄部１の中空孔部３ａと、この中空孔部３ａの先端側に設けられ該中空孔部３ａよりも径大な径大孔部３ｂとで構成されており、後述する作業部２を連結する際、径大孔部３ｂには作業部２の径大凸部４ａが嵌合され、中空孔部３ａには径小凸部４ｂが嵌合される。
【００２８】
また、握柄部１の先端部にして径大孔部３ｂが設けられる部位の周面対向位置には孔１ａが設けられている。
【００２９】
この孔１ａは、後述する止着棒材７を貫挿するための止着孔である。
【００３０】
また、握柄部１は、周面に細かい凹凸部１ｂ（ローレット）が設けられており、滑り止め部として構成されている。
【００３１】
作業部２は、図１〜３に図示したように適宜な金属製の部材（鋼）で形成した断面方形状の角柱体であり、この作業部２の先端部は、上面から下面にかけて基端側方向へ傾斜する傾斜面２ｂが形成され、且つ、作業部２の先端部上縁は上側へ反り上がった形状に形成されている。
【００３２】
また、作業部２は、図４，５に図示したように基端部に断面円形の凸部４が突設されており、具体的には、径大凸部４ａと、この径大凸部４ａに突設される径小凸部４ｂとで構成されており、前述した握柄部１と連結する際、径大凸部４ａは握柄部１の径大孔部３ｂに嵌合し、径小凸部４ｂは中空孔部３ａに嵌合するように構成されている。
【００３３】
また、径大凸部４ａには孔４ｃが貫通状態に設けられており、この孔４ｃは、凹部３に凸部４を嵌合した際、握柄部１の孔１ａと合致するように設けられており、この合致した孔に止着棒材７を貫挿し得るように構成されている。
【００３４】
この合致した孔に貫挿させた止着棒材７を抜け止め部材７ａで抜け止めすることで握柄部１と作業部２との連結は完了する。
【００３５】
また、作業部２の上面には凹溝２ａが並設され、この凹溝２ａの近傍位置には数値が付されている。
【００３６】
この凹溝２ａは、重量物20を移動する際に該重量物20が係止することで滑り止め機能を発揮し、また、数値は、作業部２を差し込んだ深さを確知する深さ位置表示として機能する。
【００３７】
また、本実施例では、図６に図示したように握柄部１の先端部には、作業部２に代わりにハンマー部５及びツルハシやピッケルなどの斫り部６が着脱自在に設けられており、このハンマー部５及び斫り部６夫々には、握柄部１の凹部３に連結する為の凸部４と同構造の凸部が設けられている。
【００３８】
本実施例は上述のように構成したから、例えば災害時における瓦礫や倒壊建物などの重量物20を持ち上げ移動させる際、作業部２を重量物20の下側に差し込み、この作業部２を作用点としつつ該作業部２の近傍位置を支点、握柄部１を力点として下方に下げて重量物20を持ち上げ移動させる（図７参照）。
【００３９】
本実施例は、握持部１が中空構造体である為、極めて軽量であり、よって、持ち運びに便利で、しかも、重量物20を持ち上げ移動させる際の作業性も良い。
【００４０】
また、本実施例は、握柄部１と作業部２とは着脱自在であり、例えば図８に図示したように重量物20の下方に差し込んだ作業部２を握柄部１から取り外して重量物20の動かした状態を保持できるなど、握柄部１を取り外すことで単独で楔として使用することもでき、しかも、この作業部２を複数用意すれば様々な使用方法が可能になる。
【００４１】
また、本実施例は、握柄部１の先端部には作業部２の基端部を着脱自在に嵌合連結する凹部３が設けられているから、簡易構造でありながら堅固な連結構造が得られることになる。
【００４２】
また、本実施例は、握柄部１は断面円形状であるから、秀れた強度性を有し、しかも、握り易くて作業性が極めて良い。
【００４３】
また、本実施例は、作業部２は角柱体であり、先端部は上面から下面にかけて基端側方向へ傾斜する傾斜面２ｂが形成された先鋭形状であるから、秀れた強度性を有し、しかも、差し込み作業が簡易に行えることになる。
【００４４】
また、本実施例は、作業部２の先端部上縁は上側へ反り上がった形状であるから、握柄部１の少ない操作で重量物20を多く移動させることができる。
【００４５】
また、本実施例は、作業部２に代えてハンマー部５やツルハシやピッケルなどの斫り部６が着脱自在に設けられているから、汎用性に秀れ非常に便利である。
【００４６】
尚、本発明は、本実施例に限られるものではなく、各構成要件の具体的構成は適宜設計し得るものである。
【符号の説明】
【００４７】
１  握柄部
２  作業部
２ｂ  傾斜面
３  凹部
５  ハンマー部
６  斫り部
【図１】
2016067701.tif 000003
【図２】
2016067701.tif 000004
【図３】
2016067701.tif 000005
【図４】
2016067701.tif 000006
【図５】
2016067701.tif 000007
【図６】
2016067701.tif 000008
【図７】
2016067701.tif 000009
【図８】
2016067701.tif 000010